(57)【要約】      （修正有）【課題】購入者が、自身の趣向に沿ってチューン・アップすることが可能な釣り竿を提供する。【解決手段】板部１ａと畝部１ｂを含んで構成される釣り竿であり、畝／板構造を有しているために、畝部及び／又は板部について、厚さ及び／又は幅を、切削及び／又は盛上することにより、『調子』を微妙に調整することを可能としている。【選択図】図２４
2011097942.tif 000002
【特許請求の範囲】
【請求項１】
板部（１ａ）と畝部（１ｂ）を含んで構成される熱可塑性樹脂を含んでなる釣り竿。
【請求項２】
熱可塑性樹脂が、芳香族ポリカーボネートであることを特徴とする請求項１に記載した釣り竿。
【請求項３】
芳香族ポリカーボネートが、化学構造式（Ｉ）で示される芳香族ポリカーボネートを含むことを特徴とする請求項２に記載した釣り竿。
【化１】
2011097942.tif 000020
（化学構造式（Ｉ）において、重合度ｎは、５０乃至２００）
【請求項４】
板部（１ａ）と畝部（１ｂ）が一体成形されたものである、
請求項１乃至３の何れかに記載した釣り竿。
【発明の詳細な説明】
【技術分野】
【０００１】  本出願に係る発明は、釣り竿に関する。
【背景技術】
【０００２】  従来、海岸、洋上、河川、湖沼池等における釣りで使用される一般的な釣り竿は、少なくとも一部が中空の管状、又は、パイプ状の釣り竿（以下、「管状釣り竿」）である。
管状釣り竿の具体例としては、渓流竿（対象魚；山女、岩魚、はや等）、鮎竿（対象魚；鮎）、へら竿（対象魚；へら鮒）、ルアー釣り用の釣り竿等を挙げることができる。
ルアー釣り用の釣り竿の具体例としては、例えば、スピニングリール用ロッド、ルアーのベイトキャスティングリール用ロッドとして用いられるルアーロッド、スピニング・ベイト、またフライフィッシング用ロッドとして用いられるフライロッド等を挙げることができる。
例えば、ワカサギ釣りにおけるような穴釣りや、ボートや遊漁船上での釣りにおいては、釣り人の一人当たりの占有スペースが極めて狭いので、一般的な管状釣り竿を使用すると、竿同士がぶつかったり、釣り糸が絡んだりするトラブルが生じがちであった。。
このようなトラブルを避けるべく、釣り人は、自分専用の小型の釣り竿を自作する場合も多かった。【０００３】［特許文献１〜特開平１０−２７６６２６号公報］
特開平１０−２７６６２６号公報には、釣り竿の穂先部を、ステンレス鋼、又は、リン青銅製の板体で形成し、先端方向に向けて徐々に幅細であると共に、部材の表裏両面を先端方向に向かって徐々に薄く形成し、穂先部の基部厚みに対して先端厚みを５分の１〜３０の１の範囲に形成したことを特徴とする技術が開示されている。
従来の技術における釣り竿の穂先は、竹を穂先状に切削加工したり、ソリッドなグラスファイバーを切削加工したものが一般的であるが、復元性や嫋（たお）やかさに難があるために、使用時におけるアタリがとりにくく、製品そのものの小型化も困難であった。
特開平１０−２７６６２６号公報に開示されている釣り竿の穂先部は、このような従来の技術における問題点を解消し、小型化を実現し、初心者であってもアタリを極めてとり易く、携帯性も発揮するものであった。【０００４】  釣り竿の性能の一つとして、『調子』がある。
『調子』とは、釣り竿の穂先に重量を負荷した際に、手元側から、釣り竿が最も撓る点（ＫＰ、キック・ポイント（ｋｉｃｋ  ｐｏｉｎｔ）、ベンド・ポイント（ｂｅｎｄ  ｐｏｉｎｔ）に至る相対的な位置をいう。
ＫＰが手元に近いければ『手元調子（元調子）』、穂先（ヘッド）に近ければ『先調子』、手元と穂先の中間にあれば『中調子（胴調子）』という。
先調子（ＬＫ／ローキックポイント）の釣り竿は『当たり（アタリ、魚が釣り餌を啄む反応）』を捉えやすく、手元調子（ＨＫ／ハイキックポイント）の釣り竿は『釣り応え（釣り針に引っ掛かった魚を釣り上げるまでの反応）を捉えやすく、それぞれ、釣り人の趣向により選択される。
中調子（胴調子、ＭＫ／ミドルキックポイント）は、最も多い汎用的なタイプである。
伝統的な管状の釣り竿では、一旦購入してしまった釣り竿の『調子』については、購入者は、自身の趣向に沿ってチューン・アップすることは困難であった。【０００５】［特許文献２〜特開２００７−１６７０３７号公報］
特開２００７−１６７０３７号公報には、捩れ難い穂先竿を備えた釣り竿が開示されている。
同公報に開示されている釣り竿の穂先竿１０は、円柱部（１０ａ及び１０ｂ）と補強部（３０又は４０）を含んで構成される。
円柱部の形状については、円柱状の周面の少なくとも一部に平面部領域１０ａを有する。
円柱部の素材について、超弾性合金又は超弾性樹脂によって形成される。
補強部の形状については、平面部領域１０ａの平面部と平行であって、且つ、円柱部の中心を通る平面に沿って側面に連続的に取着されている。
同公報の原記載における「中立軸Ｘ」なる語は、平面部領域１０ａの平面部と平行であって、且つ、円柱部の中心を通る平面を意味する。
補強部の素材の物性については、円柱部（超弾性合金又は超弾性樹脂）よりも曲げ剛性が大きい。
このような発明特定事項を採用することにより、釣り竿が捩れにくいという作用効果を奏する。
特許文献２に係る発明の「発明特定事項」と「発明の奏する作用効果」を、図４９に一覧表として整理した。
本願発明と特許文献２に係る発明の「発明特定事項」と「作用効果」の比較対照を、図５０〜５１に一覧表として整理した。
図５０から明らかなように、特許文献２における「補強部」は、対応する本願発明における「板部」と比較すると、釣り竿の基本構造を幅方向に貫通して横断しておらず、側面に「取着」されている点で、本願発明と特許文献２は、大きく相違する。
図５１から明らかなように、特許文献２における「円柱部」は縦長であるのとは対照的に、対応する本願発明における「板部」は横長である点で、本願発明と特許文献２は、大きく相違する。
図５０と図５１から明らかなように、「発明の奏する作用効果」については、本願発明については、釣り竿の「調子」の調整を容易にすることができる点で極めてユニークである。
【先行技術文献】
【特許文献】
【０００６】
【特許文献１】特開平１０−２７６６２６号公報
【特許文献２】特開２００７−１６７０３７号公報
【０００７】［従来の技術における問題点〜１］
伝統的な管状の釣り竿では、一旦購入してしまった釣り竿の『調子』については、購入者は、自身の趣向に沿ってチューン・アップすることは困難であった。
［従来の技術における問題点〜２］
伝統的な管状の釣り竿では、釣り竿の製造者は、一旦製造してしまった釣り竿の『調子』については、微妙にチューン・アップすることは困難であった。
【発明の概要】
【発明が解決しようとする課題】
【０００８】  本願発明は、上記した従来の技術における問題点に鑑み、多くの試行錯誤の過程で多くの鋭意検討を行ないつつ、研究開発を推進した結果、完成に到達した。本願発明が解決しようとする課題を以下に挙げる。【０００９】［発明が解決しようとする課題〜１］
一旦購入してしまった釣り竿であっても、購入者が、自身の趣向に沿ってチューン・アップすることが可能な釣り竿を提供することである。【００１０】［発明が解決しようとする課題〜２］
一旦製造してしまった釣り竿であったも、その『調子』について微妙にチューン・アップすることが可能な釣り竿を提供することである。【００１１】［発明が解決しようとする課題〜３］
捩れ防止機能を付加した釣り竿を提供することである。
【発明の効果】
【００１２】  本願発明の作用効果を以下に挙げる。【００１３】［発明の効果〜１］
一旦購入してしまった釣り竿であっても、購入者が、自身の趣向に沿ってチューン・アップすることが可能な釣り竿を提供することができる。【００１４】［発明の効果〜２］
一旦製造してしまった釣り竿であったも、その『調子』について微妙にチューン・アップすることが可能な釣り竿を提供することができる。【００１５】［発明の効果〜３］
捩れ防止機能を付加した釣り竿を提供することができる。【００１６】［発明の効果〜４］
本願発明に係る釣り竿においては、柔軟性又は可撓性を有する板部が、剛直性又は剛性を有する畝部を、構造的に撓みやすくするという作用効果を奏する。
本願発明に係る釣り竿においては、剛直性又は剛性を有する畝部が、柔軟性又は可撓性を有する板部を、構造的に撓みにくくするという作用効果を奏する。
本願発明に係る釣り竿においては、剛直性又は剛性を有する畝部と、柔軟性又は可撓性を有する板部が、相互に拮抗しながら、最適の「調子」を発現するという作用効果を奏する。
本願発明に係る釣り竿においては、板部が、釣り竿全体を捩れにくくするという作用効果を奏する。
【課題を解決するための手段】
【００１７】  本出願に係る発明は、以下の「特許請求の範囲」における「請求項１」乃至「請求項１１２」に記載した事項により特定される。
［特許請求の範囲］
［請求項１］
板部（１ａ）と畝部（１ｂ）を含んで構成される熱可塑性樹脂を含んでなる釣り竿。
［請求項２］
熱可塑性樹脂が、芳香族ポリカーボネートであることを特徴とする請求項１に記載した釣り竿。
［請求項３］
芳香族ポリカーボネートが、化学構造式（Ｉ）で示される芳香族ポリカーボネートを含むことを特徴とする請求項２に記載した釣り竿。
【化１】
2011097942.tif 000003
（化学構造式（Ｉ）において、重合度ｎは、５０乃至２００）
［請求項４］
板部（１ａ）と畝部（１ｂ）が一体成形されたものである、
請求項１乃至３の何れかに記載した釣り竿。
［請求項５］  数式（５）で算出される畝部体積比ＶＲ［％］が、
１  ≦  ＶＲ［％］  ≦  ９０
であることを特徴とする請求項１乃至４の何れかに記載した釣り竿。
【数４】
2011097942.tif 000004
（数式（５）において、
Ｖｒは、畝部の体積（ｍｍ３）、
Ｖｆは、板部の体積（ｍｍ３）、
Ｖｔは、合計体積（ｍｍ３）、
ＶＲ［％］は、畝部体積比、即ち、合計体積に占める畝部の体積の相対比（％）である。）
［請求項６］  数式（５）で算出される畝部体積比ＶＲ［％］が、
１  ≦  ＶＲ［％］  ≦  ９０
であることを特徴とする請求項１乃至４の何れかに記載した釣り竿。
【数５】
2011097942.tif 000005
（数式（１）において、ｐ％は、評価位置、即ち、断面積を評価する相対的な位置、
Ｌは、畝／板構造部の長さ（絶対値）であって、
「板部の長さ（Ｌ１ａ）≧畝部の長さ（Ｌ１ｂ）」の場合には、「Ｌ＝Ｌ１ｂ」であり、
「畝部の長さ（Ｌ１ｂ）＞板部の長さ（Ｌ１ａ）」の場合には、「Ｌ＝Ｌ１ａ」であり、
Ｌｍは、畝部の始点から断面積を評価する位置までの距離（絶対値）、
数式（２）において、
ＡＲ（ｐ％）［％］は、畝部断面積比、即ち、評価位置ｐ％における合計断面積に占める畝部の断面積の相対比（％）、
Ａｆ（ｐ％）は、評価位置ｐ％における板部の断面積（ｍｍ２）、
Ａｒ（ｐ％）は、評価位置ｐ％における畝部の断面積（ｍｍ２）、
Ａｔ（ｐ％）は、評価位置ｐ％における合計断面積（ｍｍ２）、
数式（３）及び数式（４）において、
Ｖｒは、畝部の体積（ｍｍ３）、
Ｖｆは、板部の体積（ｍｍ３）、
Ｖｔは、合計体積（ｍｍ３）、
Ｐｓは、評価開始点、即ち、畝／板構造の開始点、即ち、ｐ％＝０％の位置、
Ｐｅは、評価終了点、即ち、畝／板構造の終了点、即ち、ｐ％＝１００％の位置、
数式（５）において、
ＶＲ［％］は、畝部体積比、即ち、合計体積に占める畝部の体積の相対比（％）である。）
［請求項７］  数式（６）で算出される畝部長比ＬＲ［％］が、
５０  ≦  ＬＲ［％］  ≦  ２００
である特性を具備した請求項１乃至６の何れかに記載した釣り竿。
【数６】
2011097942.tif 000006
（数式（６）において、ＬＲ［％］は、畝部長比、即ち、板部の長さを基準とした畝部の長さの相対比（％）、
Ｌ１ａは、板部の長さ（絶対値）、
Ｌ１ｂは、畝部の長さ（絶対値）である。）
［請求項８］
少なくとも一つの板部（１ａ）と、少なくとも一つの畝部（１ｂ）を含んで構成される釣り竿。
［請求項９］
板部（１ａ）が、畝部（１ｂ）の土台たる平面的な形状を有することを特徴とする請求項１乃至８に記載した釣り竿。
［請求項１０］
畝部（１ｂ）が、土台たる板部（１ａ）から上方に向かって突出した形状を有することを特徴とする請求項１乃至９に記載した釣り竿。
［請求項１１］
剛直性又は剛性を有する畝部（１ｂ）と、柔軟性又は可撓性を有する板部（１ａ）とを、相互に拮抗せしめることにより、剛直性又は剛性と、柔軟性又は可撓性をバランスさせた、調子を発現する機能を発揮することを特徴とする請求項１乃至１０に記載した釣り竿。【００１８】［用語「畝部」の意義］
広辞苑第四版（１９９１年１１月１５日  第４版第１刷発行、岩波書店）によれば、「うね」とは、漢字では「畝」又は「畦」と記載され、「畑に作物を植えつけるため、間隔をおいて土を高く盛り上げ、筋をなした所。」又は「山脈・波などの小高く連なったところ。」という意味である。
本出願の特許請求の範囲、明細書、及び、図面において使用する「畝部」なる用語は、広辞苑における「うね」の定義になぞらえれば、「平面的な部分から上方に向かって小高く盛り上げて長手方向に連続的に筋をなしたところ。」という意味である。
本出願の特許請求の範囲、明細書、及び、図面において使用する「畝部」なる用語は、例えば、熱可塑性プラスチックを射出成形法等により、釣り竿として一体成形した場合において、成形品の形状の平面的な部分から上方に向かって突出した部分を包含する。
本出願の特許請求の範囲、明細書、及び、図面において使用する「畝部」なる用語における「畝」は、英語で表記すると、「ｒｉｂ」（織物における畝）、又は、「ｒｉｄｇｅ」（畑又は織物における畝）である。
本願発明に係る釣り竿においては、畝部がリブとなって、柔軟性又は可撓性の板部を、構造的に折れ曲がりにくするという作用効果を奏する。【００１９】［用語「板部」の意義］
広辞苑第四版（１９９１年１１月１５日  第４版第１刷発行、岩波書店）によれば、「いた」とは、漢字では「板」と記載され、「材木を薄く平たくひきわったもの。」又は「金属や石などを薄く平たくしたもの。」という意味である。
本出願の特許請求の範囲、明細書、及び、図面において使用する「板部」なる用語は、広辞苑における「いた」の定義になぞらえれば、「長手方向に連続的に平面的な部分が連なったところであって、畝部の土台部としての役割を担うところ。」という意味である。
本出願の特許請求の範囲、明細書、及び、図面において使用する「板部」なる用語は、例えば、熱可塑性プラスチックを射出成形法等により、釣り竿として一体成形した場合において、成形品の形状の平面的な部分であって畝部の土台となる部分を包含する。
広辞苑第四版（１９９１年１１月１５日  第４版第１刷発行、岩波書店）によれば、「いた」とは、漢字では「板」と記載され、「材木を薄く平たくひきわったもの。」又は「金属や石などを薄く平たくしたもの。」という意味である。
本出願の特許請求の範囲、明細書、及び、図面において使用する「板部」なる用語における「板」は、英語で表記すると、「ｂｏａｒｄ」、「ｐｌａｔｅ」、「ｆｌａｔ  ｂｏａｒｄ」、「ｆｌａｔ  ｐｌａｔｅ」又は「ｆｌａｔ」である。【００２０】  本願発明に係る釣り竿においては、柔軟性又は可撓性を有する板部が、剛直性又は剛性を有する畝部を、構造的に撓みやすくするという作用効果を奏する。
本願発明に係る釣り竿においては、剛直性又は剛性を有する畝部が、柔軟性又は可撓性を有する板部を、構造的に撓みにくくするという作用効果を奏する。
本願発明に係る釣り竿においては、剛直性又は剛性を有する畝部と、柔軟性又は可撓性を有する板部が、相互に拮抗しながら、最適の「調子」を発現するという作用効果を奏する。
本願発明に係る釣り竿においては、板部が、釣り竿全体を捩れにくくするという作用効果を奏する。【００２１】  以下に、願書に添付した図面に基づき、本願発明に係る釣り竿の発明の外延、発明の特定事項、発明の好ましい形態、発明の作用効果について説明する。【００２２】［図１］
図１に、本願発明に係る釣り竿の基本構造たる『畝／板構造』を示した。
本願発明に係る釣り竿の基本構造たる『畝／板構造』の始点（開始点）と終点（終了点）を示した。
（Ａ）板部の長さ（Ｌ１ａ）≧畝部の長さ（Ｌ１ｂ）の場合には、『Ｌ（畝／板構造部の長さ）＝Ｌ１ｂ（畝部の長さ）』である。
（Ｂ）畝部の長さ（Ｌ１ｂ）＞板部の長さ（Ｌ１ａ）の場合には、『Ｌ（畝／板構造部の長さ）＝Ｌ１ａ（板部の長さ）』である。
Ｐｓ；畝／板構造の始点
ｐ％  ；評価位置
Ｌ    ；畝／板構造の長さ
Ｌ１ａ；板部の長さ
Ｌ１ｂ；畝部の長さ
Ｌｍ  ；断面積を評価する位置までの距離【００２３】［図２］
図２に、本願発明に係る釣り竿の基本構造たる『畝／板構造』における畝部と板部の厚みと幅の測定方法の概念を示した。
［厚みの測定］
Ｔ１ａ  ；  板部の厚み（最大厚み）
Ｔ１ｂ  ；  畝部の厚み（最大厚み）
ｗｆｓ  ；  板部厚み測定開始位置（板部幅方向始点）
ｗｆｍ  ；  板部厚み測定位置
ｗｆｅ  ；  板部厚み測定終了位置（板部幅方向終点）
ＴＦｍ  ；  測定位置における板部の厚み
ｗｒｓ  ；  畝部厚み測定開始位置（板部幅方向始点）
ｗｒｍ  ；  畝部厚み測定位置
ｗｒｅ  ；  畝部厚み測定終了位置（板部幅方向終点）
ＴＲｍ  ；  測定位置における畝部の厚み
［幅の測定］
Ｗ１ａ  ；  板部の幅（最大幅）
Ｗ１ｂ  ；  畝部の幅（最大幅）
ｔｆｓ  ；  板部幅測定開始位置（板部幅方向始点）
ｔｆｍ  ；  板部幅測定位置
ｔｆｅ  ；  板部幅測定終了位置（板部幅方向終点）
ＷＦｍ  ；  測定位置における板部の幅
ｔｒｓ  ；  畝部幅測定開始位置（板部幅方向始点）
ｔｒｍ  ；  畝部幅測定位置
ｔｒｅ  ；  畝部幅測定終了位置（板部幅方向終点）
ＷＲｍ  ；  測定位置における畝部の幅【００２４】［図３］
図３に、本願発明に係る釣り竿の基本構造たる『畝／板構造」における板部と畝部の平均厚みの概念を示した。
ΣＴＦｍ    板部の厚みの積分値（ｍｍ２）
ΣＴＲｍ    畝部の厚みの積分値（ｍｍ２）
ＴＦａｖｅ  板部平均厚み（ｍｍ）、即ち、板部の厚みの平均値（ｍｍ）
ＴＲａｖｅ  畝部平均厚み（ｍｍ）、即ち、畝部の厚みの平均値（ｍｍ）
Ｗ１ａ  ；  板部の幅（最大幅）
Ｗ１ｂ  ；  畝部の幅（最大幅）
ｗｆｓ  ；  板部厚み測定開始位置（板部幅方向始点）
ｗｆｅ  ；  板部厚み測定終了位置（板部幅方向終点）
板部の厚みの積分値（ΣＴＦｍ）は、以下の数式（ｉ）で表される。
畝部の厚みの積分値（ΣＴＲｍ）は、以下の数式（ｉｉ）で表される。
板部平均厚み（ＴＦａｖｅ）は、以下の数式（ｉｉｉ）で表される。
畝部平均厚み（ＴＲａｖｅ）は、以下の数式（ｉｖ）で表される。
【数７】
2011097942.tif 000007
【００２５】［図４］
図４に、本願発明に係る釣り竿の基本構造たる『畝／板構造』における板部と畝部の平均幅の概念を示した。
ΣＷＦｍ    板部の幅の積分値（ｍｍ２）
ΣＷＲｍ    畝部の幅の積分値（ｍｍ２）
ＷＦａｖｅ  板部平均幅（ｍｍ）、即ち、板部の幅の平均値（ｍｍ）
ＷＲａｖｅ  畝部平均幅（ｍｍ）、即ち、畝部の幅の平均値（ｍｍ）
Ｔ１ａ  ；  板部の厚み（最大厚み）
Ｔ１ｂ  ；  畝部の厚み（最大厚み）
ｔｆｓ  ；  板部幅測定開始位置（板部幅方向始点）
ｔｆｅ  ；  板部幅測定終了位置（板部幅方向終点）
板部の幅の積分値（ΣＷＦｍ）は、以下の数式（ｖ）で表される。
畝部の幅の積分値（ΣＷＲｍ）は、以下の数式（ｖｉ）で表される。
板部平均幅（ＷＦａｖｅ）は、以下の数式（ｖｉｉ）で表される。
畝部平均幅（ＷＲａｖｅ）は、以下の数式（ｖｉｉｉ）で表される。
【数８】
2011097942.tif 000008
【００２６】［図５］  図に、本願発明に係る釣り竿の基本構造たる『畝／板構造』における板部の平均幅の概念と、板部の形状を規定するパラメーターを示した。
ＷＦａｖｅ    板部平均幅（ｍｍ）、即ち、板部の幅の平均値（ｍｍ）
ＴＦａｖｅ    板部平均厚み（ｍｍ）、即ち、板部の厚みの平均値（ｍｍ）
ＷＲａｖｅ    畝部平均幅（ｍｍ）、即ち、畝部の幅の平均値（ｍｍ）
ＴＲａｖｅ    畝部平均厚み（ｍｍ）、即ち、畝部の厚みの平均値（ｍｍ）
本願発明に係る釣り竿の基本構造たる『畝／板構造』における、板部の形状を規定するパラメーターは、数式（ｉｘ）又は、数式（ｘ）で表される。
【数９】
2011097942.tif 000009
【００２７】［図６］
図６に、本願発明に係る釣り竿の基本構造たる『畝／板構造』における畝部の断面形状の具体例を示した。
［凡例］  斜線を付加した部分；板部（１ａ）
斜線を付加していない部分；畝部（１ｂ）【００２８】［図７］
図７に、本願発明に係る釣り竿の基本構造たる『畝／板構造』における板部の断面形状の具体例を示した。
［凡例］  斜線を付加していない部分；板部（１ａ）
斜線を付加している部分；畝部（１ｂ）【００２９】［図８］
図８に、本願発明に係る釣り竿の基本構造たる『畝／板構造』における断面形状の具体例のうち、『芯／鞘構造』の態様を示した。
（Ａ）芯（コア）部は、釣り竿である。
釣り竿については、斜線を付加した部分が、２つの板部（１ａ−１、１ａ−２）と、斜線を付加していない部分が、畝部（１ｂ）である。
（Ｂ）鞘（シェル）部は、可撓性又は屈曲性を有する管状部材（ゴム管、ホース管等）である。
（Ｃ）芯／鞘（コア／シェル）構造を有する釣り竿を示した。
斜線を付加した部分は、可撓性又は屈曲性を有する管状部材（ゴム管、ホース管等）のカバー又はケースである。【００３０】［図９］
図９に、本願発明に係る釣り竿の基本構造たる『畝／板構造』の製作例を示した。
（１）が板部であり、（２）が畝部である。
板部と畝部を接合（接着・融着・溶接・締結・嵌合・一体成形等）する。【００３１】［図１０］
図１０に、本願発明に係る釣り竿の基本構造たる『畝／板構造』の曲げ特性を示した。
（１）曲げ効果先調子・剛性大、（２）曲げ効果根本調子・剛性小、（３）曲げ効果中調子（剛性中）の態様を示した。
剛性とは、単位変位を生じさせるための外力の大きさである。
Ｆを外力、ｋを剛性、δを変位とすると、式「Ｆ＝ｋδ」が成り立つ。【００３２】［図１１］
図１１に、本願発明に係る釣り竿の基本構造たる『畝／板構造』における畝部及び／又は板部の厚さを調整することにより釣り竿の調子又は剛性を調整する方法を示した。
例えば、畝／板構造における畝部、及び／又は、板部の厚さ、及び／又は、幅を、鉋（かんな）、鑢（やすり）、カッター等で切削することにより、釣り竿の調子又は剛性を調整することができる。
また、畝部及び／又は板部について、厚さ及び／又は幅を、盛り上げすることにより、釣り竿の調子又は剛性を調整することができる。
「盛り上げ」は、例えば、２液硬化型エポキシ樹脂等の熱硬化性樹脂を硬化前の液体状態で盛り付けたり、ポリカーボネート等の熱可塑性樹脂を溶融状態で盛り付けたりして、盛り上げることができる。【００３３】［図１２］
図１２に、本願発明に係る釣り竿の基本構造たる『畝／板構造』における板部の幅と畝部の幅が同じ場合における板部と畝部の境界の概念を示した。【００３４】［図１３］
図１３に、本願発明に係る釣り竿の基本構造たる『畝／板構造』における断面形状の具体例のうち、ツーピース嵌合構造の態様を示した。斜線を付加した部分が板部（１ａ）であり、斜線を付加していない部分が畝部（１ｂ）である。
指物細工又は寄木細工のように、畝部と板部をスライド構造や嵌合構造により接合する。
畝部を交換することにより、剛性を大・中・小と変更することができる。【００３５】［図１４］
図１４に、本願発明に係る釣り竿の基本構造たる『畝／板構造』の主要部を示した。
穂先部（１ｃ）とは、畝部（１ｂ）が途切れた板部（１ａ）のみで構成される先端部、又は、板部（１ａ）が途切れた畝部（１ｂ）のみで構成される先端部を意味する。【００３６】［図１５］
図１５に、本願発明に係る釣り竿の構造を示した。
釣り竿（１００）は、板部（１ａ）、及び、畝部（１ｂ）を含んで構成される。
場合により、さらに、ジョイント部（２）、ガイド取付部（３）を、さらに、含んで構成される。【００３７】［図１６］
図１６に、釣り竿の『調子』の意義について示した。
釣り竿の『調子』とは、釣り竿の穂先に重量を負荷した際に、手元側から、釣り竿が最も撓る点（ＫＰ、キック・ポイント（ｋｉｃｋ  ｐｏｉｎｔ）、ベンド・ポイント（ｂｅｎｄ  ｐｏｉｎｔ））に至る相対的な位置をいう。
ＫＰが手元に近いければ『手元調子（元調子）』、穂先（ヘッド）に近ければ『先調子』、手元と穂先の中間にあれば『中調子（胴調子）』という。
先調子（ＬＫ／ローキックポイント）の釣り竿は『当たり（アタリ、魚が釣り餌を啄む反応）』を捉えやすく、手元調子（ＨＫ／ハイキックポイント）の釣り竿は『釣り応え（釣り針に引っ掛かった魚を釣り上げるまでの反応）を捉えやすく、それぞれ、釣り人の趣向により選択される。
中調子（胴調子、ＭＫ／ミドルキックポイント）は、最も多い汎用的なタイプである。
伝統的な管状の釣り竿では、一旦購入してしまった釣り竿の『調子』については、購入者は、自身の趣向に沿ってチューン・アップすることは困難であった。
然るに、本願発明に係る釣り竿は、畝／板構造を有しているために、畝部及び／又は板部について、厚さ及び／又は幅を、切削及び／又は盛上することにより、『調子』を微妙に調整することが可能である。
「盛上」は、２液硬化型エポキシ樹脂等の熱硬化性樹脂を硬化前の液体状態で盛り付けたり、ポリカーボネート等の熱可塑性樹脂を溶融状態で盛り付けたりして、盛り上げることができる。【００３８】［図１７］
図１７に、釣り竿の『調子』の評価方法の一つとして、湾曲指数（ＣＲ）を示した。
湾曲指数の算出式（Ａ）において、
ｒｍは穂先の湾曲に適合する円弧の曲率半径、ｒ０は支点〜錘負荷点間距離であって、２００ｍｍである。
湾曲指数（ＣＲ）は、下記の数式（Ａ）で表される。
【数１０】
2011097942.tif 000010
【００３９】［図１８］
図１８に、釣り竿の『調子』の評価方法の一つとして、撓み角θを示した。
撓み角正接（ｔａｎθ）は、下記の数式（Ｂ）で表される。
撓み角（θ）は、下記の数式（Ｃ）で表される。
【数１１】
2011097942.tif 000011
【００４０】［図１９］
図１９に、釣り竿の『調子』の評価方法のイメージを示した。
図１９において、支点〜錘負荷点間距離は（ｒ０）は、２００ｍｍである。
錘負荷点には、荷重２０ｇの錘を負荷する。【００４１】［図２０］
図２０に、釣り竿の『調子』の湾曲指数（ＣＲ）を評価するイメージを示した。
先調子と中調子（胴調子）の例を示した。
先調子においては、曲率半径ｒ１＝５２．２ｍｍ、湾曲指数ＣＲ１＝０．２６１であった。
中調子（胴調子）においては、曲率半径ｒ２＝８１．１ｍｍ、湾曲指数ＣＲ２＝０．４０６であった。【００４２】［図２１］
図２１に、釣り竿の『調子』の撓み角θを評価するイメージを示した。
荷重２０ｇ、荷重を負荷する距離箇所の距離２０ｍｍで評価した。
先調子と中調子（胴調子）の例を示した。
先調子ではｔａｎθ１＝０．５６３、中調子（胴調子）ではｔａｎθ２＝０．８６５であった。【００４３】［図２２］
図２２に、釣り竿の『調子』の湾曲指数（ＣＲ）を評価するイメージを示した。
先調子と中調子（胴調子）の例を示した。
先調子においては、曲率半径ｒ１＝５２．２ｍｍ、湾曲指数ＣＲ１＝０．２６１であった。
根本（手元調子）においては、ｒ３＝８１．１ｍｍ、湾曲指数ＣＲ３＝０．７８１であった。【００４４】［図２３］
図２３に、釣り竿の『調子』の撓み角θを評価するイメージを示した。
荷重２０ｇ、荷重を負荷する距離箇所の距離２０ｍｍで評価した。
先調子と根本（手元調子）の例を示した。
先調子ではｔａｎθ１＝０．５６３、根本（手元調子）ではｔａｎθ３＝１．３７４であった。【００４５】［図２４］
図２４に、本願発明に係る『畝／板構造』を有する釣り竿の形状を規定する諸元を示した。
諸元は、以下のとおりである。
Ｌ０    釣り竿の長さ
Ｌ１ａ  板部の長さ
Ｌ２    ジョイント部の長さ
Ｌ１ｂ  畝部の長さ
Ｌ１ｃ  穂先部の長さ
Ｗ１ａ  板部の幅
Ｗ１ｂ  畝部の幅
Ｗ２    ジョイント部の幅
１ａ    板部
Ｔ１ａ  板部の厚さ
Ｔ１ｂ  畝部の厚さ
Ｔ２    ジョイント部の厚さ
畝部長比（ＬＲ［％］）は、下記の数式（６）で表される。
【数１２】
2011097942.tif 000012
本願発明において、畝部長比（ＬＲ［％］）は、特に制限されるものではないが、一般的には、ＬＲ［％］＝１００〜１０（即ち、１００≧ＬＲ［％］≧１０）が好ましく、ＬＲ［％］＝１００〜２０（即ち、１００≧ＬＲ［％］≧２０）がより好ましく、ＬＲ［％］＝１００〜３０（即ち、１００≧ＬＲ［％］≧３０）が更に好ましい。【００４６】［図２５］
図２５に、『板部の長さ（Ｌ１ａ）≧畝部の長さ（Ｌ１ｂ）』の場合における本願発明に係る『畝／板構造』を有する釣り竿の断面積を評価する位置（ｐ％）を示した。
個の場合、『Ｌ（畝／板構造部の長さ）＝Ｌ１ｂ（畝部の長さ）』となる。【００４７】［図２６］
図２６に、『畝部の長さ（Ｌ１ｂ）＞板部の長さ（Ｌ１ａ）』の場合における本願発明に係る『畝／板構造』を有する釣り竿の断面積を評価する位置（ｐ％）を示した。
個の場合、『Ｌ（畝／板構造部の長さ）＝Ｌ１ａ（板部の長さ）』となる。【００４８】［図２７］
図２７に本願発明に係る『畝／板構造』を有する釣り竿の断面積を評価する位置（ｐ％）の計算式（式（１））を示した。
式（１）における記号は、次のとおりである。
ｐ％    評価位置（断面積を評価する相対的な位置）
Ｌｍ    断面積を評価する位置までの距離（絶対値）
Ｌ      畝／板構造部の長さ（絶対値）
板部の長さ（Ｌ１ａ）≧畝部の長さ（Ｌ１ｂ）の場合；Ｌ＝Ｌ１ｂ
畝部の長さ（Ｌ１ｂ）＞板部の長さ（Ｌ１ａ）の場合；Ｌ＝Ｌ１ａ
Ｐｓ    評価始点（畝／板構造の始点  ；  ｐ％＝０％）
Ｐｅ    評価終点（畝／板構造の終点  ；  ｐ％＝１００％）
板部の長さ（Ｌ１ａ）≧畝部の長さ（Ｌ１ｂ）の場合；畝部の終点
畝部の長さ（Ｌ１ｂ）＞板部の長さ（Ｌ１ａ）の場合；板部の終点
評価位置（ｐ［％］）は、下記の数式（１）で表される。
【数１３】
2011097942.tif 000013
【００４９】［図２８］
図２８に、本願発明に係る『畝／板構造』を有する釣り竿の評価位置ｐ％における板部と畝部の断面積の概念を示した。
Ａｆ（ｐ％）は板部断面積、Ａｒ（ｐ％）は畝部断面積、Ａｔ（ｐ％）は全部断面積である。【００５０】［図２９］
図２９に、本願発明に係る『畝／板構造』を有する釣り竿の評価位置ｐ％における板部と畝部の断面積の概念を示した。
Ａｆ（ｐ％）は板部断面積、Ａｒ（ｐ％）は畝部断面積、Ａｔ（ｐ％）は全部断面積である。
評価位置「ｐ［％］＝０」のときの畝部の輪郭と板部の輪郭を点線で示した。
評価位置「ｐ［％］＝１００」のときの畝部の輪郭と板部の輪郭を点線で示した。【００５１】［図３０］
図３０に、本願発明に係る『畝／板構造』を有する釣り竿の畝部断面積比ＡＲの計算式（式（２））を示した。
式（２）における記号は、次のとおりである。
Ａｒ（ｐ％）  評価位置ｐ％における畝部の断面積（ｍｍ２）
Ａｆ（ｐ％）  評価位置ｐ％における板部の断面積（ｍｍ２）
Ａｔ（ｐ％）  評価位置ｐ％における合計断面積（ｍｍ２）
ＡＲ（ｐ％）  畝部断面積比、即ち、評価位置ｐ％における
合計断面積に占める畝部の断面積の相対比（％）
畝部断面積比（ＡＲ［％］）は、下記の数式（２）で表される。
【数１４】
2011097942.tif 000014
【００５２】［図３１］
図３１に、『板部の長さ（Ｌ１ａ）≧畝部の長さ（Ｌ１ｂ）』の場合における本願発明に係る『畝／板構造』を有する釣り竿の畝部面積比ＡＲの概念を示した。
ｘ軸は板部の長さ（Ｌ１ａ）［ｍｍ］、ｙ軸は断面積［ｍｍ２］である。【００５３】［図３２］
図３２に、『畝部の長さ（Ｌ１ｂ）＞板部の長さ（Ｌ１ａ）』の場合における本願発明に係る『畝／板構造』を有する釣り竿の畝部面積比ＡＲの概念を示した。
ｘ軸は板部の長さ（Ｌ１ａ）［ｍｍ］、ｙ軸は断面積［ｍｍ２］である。【００５４】［図３３］
図３３に、本願発明に係る『畝／板構造』を有する釣り竿の畝部体積比ＶＲ（式（３）〜式（５））の計算式を示した。
式（３）〜式（５）における記号は、次のとおりである。
Ｖｒ    畝部の体積（ｍｍ３）
Ｖｆ    板部の体積（ｍｍ３）
Ｖｔ    合計体積（ｍｍ３）
ＶＲ    畝部体積比、即ち、合計体積に占める畝部の体積の相対比（％）
畝部の体積（Ｖｒ［ｍｍ３］）は、下記の数式（３）で表される。
板部の体積（Ｖｆ［ｍｍ３］）は、下記の数式（４）で表される。
畝部体積比（ＶＲ［％］）は、下記の数式（５）で表される。
【数１５】
2011097942.tif 000015
【００５５】［図３４］
図３４に、本願発明に係る『畝／板構造』を有する釣り竿の畝部体積比ＶＲの概念を示した。
ｘ軸は畝／板構造部の長さ（Ｌ）、ｙ軸は断面積［ｍｍ２］である。【００５６】［図３５］
図３５に、実施例１で作成した芳香族ポリカーボネート製の釣り竿の６面図を示した。
ポリカーボネートは、化学式（Ｉ）で示されるものを使用した。
ポリカーボネートとしては、市販されているポリカーボネート樹脂であるノバレックス７０２５Ｌ１（登録商標、三菱エンジニアリングプラスチックス株式会社製、レンズグレード、ＭＶＲ＝１０、ＭＦＲ＝１０、粘度平均分子量２３５００〜２３６００、フェノール性水酸基０．４ｅｑ／ｔｏｎ）と、ノバレックスＳ−３０００Ｒ（登録商標、三菱エンジニアリングプラスチックス株式会社製、低粘度グレード、メルトボリューム＝１２〜１９、流れ値（Ｑ値）＝５〜１２、粘度平均分子量３１０００〜３８０００）を、重量比１：１で混合して使用した。
化学式（Ｉ）で示される芳香族ポリカーボネートの繰り返し単位の分子量は２５４（Ｃ＝１６個、Ｏ＝３個、Ｈ＝１４個）であるので、化学式（Ｉ）及び化学式（ＩＩ）における重合度ｎは、平均分子量の値を、２５４で除した数となる。
すなわち、粘度平均分子量＝２３５００〜２３６００の値に基づけば、重合度ｎは、ｎ＝９２．５〜９２．９である。
また、粘度平均分子量＝３１０００〜３８０００の値に基づけば、重合度ｎは、ｎ＝１２２．０〜１４９．６である。
本願発明において、重合度ｎは、特に制限されるものではないが、射出成形時における芳香族ポリカーボネートの溶融流動性を考慮すると、一般的には、ｎ＝５０〜２００が好ましく、ｎ＝７０〜１８０がより好ましく、ｎ＝８０〜１６０が更に好ましい。
【化３】
2011097942.tif 000016
ポリカーボネートの重合反応を化学式（ＩＩ）に示した。
【化４】
2011097942.tif 000017
【００５７】［図３６］
図３６に、実施例１で作成した芳香族ポリカーボネート製の釣り竿の断面積の分布図を示した。【００５８】［図３７］
図３７に、実施例１及び実施例２の芳香族ポリカーボネート製の釣り竿を成形する際に使用した射出成形機の基本構造を示した。
図３７の記号は次のとおりである。
１  加熱シリンダー
２  射出スクリュー
３  保持シリンダー
４  供給口
５  ベント口
６  ホッパー
１１  加圧ポート【００５９】［図３８］
図３８に、実施例１及び実施例２の芳香族ポリカーボネート製の釣り竿を成形する際に使用した射出成形機と金型の基本構造を示した。
図３８の記号は次のとおりである。
１２  ゲート【００６０】［図３９］
図３９に、実施例１の芳香族ポリカーボネート製の釣り竿を成形する際に使用した金型の基本構造を示した。
１３  型キャビティ部
１４  排出口
１５  貯槽【００６１】［図４０］
図４０に、実施例１の射出成形における溶融樹脂の流れを示した。
（Ａ）成形サイクル初期
（Ｂ）成形サイクル中期
（Ｃ）成形サイクル終期
実施例１においては、（Ａ）〜（Ｃ）の全ての段階において、溶融樹脂の流れが良く、流れが一貫して層流となり、乱流となり、マーブル状のウェルドラインが全く発生しなかった。
ウェルドラインが発生しないので、強度に均一性であり、応力集中が発生しにくい。【００６２】［図４１］  図４１に、実施例１の射出成形物（ポリカーボネート一体成形物）と金型のゲート位置を示した。【００６３】［図４２］
図４２に、実施例２で使用した金型の基本構造を示した。【００６４】［図４３］
図４３に、実施例２の射出成形における溶融樹脂の流れを示した。
（Ａ）成形サイクル初期
（Ｂ）成形サイクル中期
（Ｃ）成形サイクル終期
実施例２においては、（Ｂ）の段階において、溶融樹脂の流れが悪く、流れが層流とならずに、乱流となり、マーブル状のウェルドラインが発生した。
ウェルドラインが発生すると、強度に不均一性が生じ、力学的に弱い箇所に応力集中が発生する場合があり好ましくない。【００６５】［図４４］
図４４に、実施例３で作成した芳香族ポリカーボネート製の釣り竿の断面積の分布図を示した。
表１に実施例１と実施例３の畝部断面積比ＡＲ［％］を示した。
表２に実施例１と実施例３の畝部体積比ＶＲ［％］を示した。
【表１】
2011097942.tif 000018
【表２】
2011097942.tif 000019
【００６６】［図４５］
図４５に、実施例１及び実施例３で作成した芳香族ポリカーボネート製の釣り竿の断面積の分布図を示した。【００６７】［図４６］
図４６に、実施例１で作成した釣り竿と、釣り竿にに取り付けることができるガイドとガイド固定具を示した。【００６８】［図４７］
図４７に、実施例１で作成した釣り竿に、ガイド固定具でガイドを取り付けた状態を示した。【００６９】［図４８］
図４８に、ガイドを取り付けた釣り竿を、電動リールに装着した状態を示した。
【図面の簡単な説明】
【００７０】
【図１】本願発明に係る釣り竿の基本構造たる『畝／板構造』を示した。本願発明に係る釣り竿の基本構造たる『畝／板構造』の始点（開始点）と終点（終了点）を示した。（Ａ）板部の長さ（Ｌ１ａ）≧畝部の長さ（Ｌ１ｂ）の場合には、『Ｌ（畝／板構造部の長さ）＝Ｌ１ｂ（畝部の長さ）』である。（Ｂ）畝部の長さ（Ｌ１ｂ）＞板部の長さ（Ｌ１ａ）の場合には、『Ｌ（畝／板構造部の長さ）＝Ｌ１ａ（板部の長さ）』である。Ｐｓ；畝／板構造の始点ｐ％；評価位置Ｌ；畝／板構造の長さＬ１ａ；板部の長さＬ１ｂ；畝部の長さＬｍ；断面積を評価する位置までの距離
【図２】本願発明に係る釣り竿の基本構造たる『畝／板構造』における畝部と板部の厚みと幅の測定方法の概念を示した。［厚みの測定］Ｔ１ａ；板部の厚み（最大厚み）Ｔ１ｂ；畝部の厚み（最大厚み）ｗｆｓ；板部厚み測定開始位置（板部幅方向始点）ｗｆｍ；板部厚み測定位置ｗｆｅ；板部厚み測定終了位置（板部幅方向終点）ＴＦｍ；測定位置における板部の厚みｗｒｓ；畝部厚み測定開始位置（板部幅方向始点）ｗｒｍ；畝部厚み測定位置ｗｒｅ；畝部厚み測定終了位置（板部幅方向終点）ＴＲｍ；測定位置における畝部の厚み［幅の測定］Ｗ１ａ；板部の幅（最大幅）Ｗ１ｂ；畝部の幅（最大幅）ｔｆｓ；板部幅測定開始位置（板部幅方向始点）ｔｆｍ；板部幅測定位置ｔｆｅ；板部幅測定終了位置（板部幅方向終点）ＷＦｍ；測定位置における板部の幅ｔｒｓ；畝部幅測定開始位置（板部幅方向始点）ｔｒｍ；畝部幅測定位置ｔｒｅ；畝部幅測定終了位置（板部幅方向終点）ＷＲｍ；測定位置における畝部の幅
【図３】本願発明に係る釣り竿の基本構造たる『畝／板構造』における板部と畝部の平均厚みの概念を示した。ΣＴＦｍ  板部の厚みの積分値（ｍｍ２）ΣＴＲｍ  畝部の厚みの積分値（ｍｍ２）ＴＦａｖｅ  板部平均厚み（ｍｍ）、即ち、板部の厚みの平均値（ｍｍ）ＴＲａｖｅ  畝部平均厚み（ｍｍ）、即ち、畝部の厚みの平均値（ｍｍ）Ｗ１ａ；板部の幅（最大幅）Ｗ１ｂ；畝部の幅（最大幅）ｗｆｓ；板部厚み測定開始位置（板部幅方向始点）ｗｆｅ；板部厚み測定終了位置（板部幅方向終点）
【図４】本願発明に係る釣り竿の基本構造たる『畝／板構造』における板部と畝部の平均幅の概念を示した。ΣＷＦｍ  板部の幅の積分値（ｍｍ２）ΣＷＲｍ  畝部の幅の積分値（ｍｍ２）ＷＦａｖｅ  板部平均幅（ｍｍ）、即ち、板部の幅の平均値（ｍｍ）ＷＲａｖｅ  畝部平均幅（ｍｍ）、即ち、畝部の幅の平均値（ｍｍ）Ｔ１ａ；板部の厚み（最大厚み）Ｔ１ｂ；畝部の厚み（最大厚み）ｔｆｓ；板部幅測定開始位置（板部幅方向始点）ｔｆｅ；板部幅測定終了位置（板部幅方向終点）
【図５】本願発明に係る釣り竿の基本構造たる『畝／板構造』における板部の平均幅の概念と、板部の形状を規定するパラメーターを示した。ＷＦａｖｅ  板部平均幅（ｍｍ）、即ち、板部の幅の平均値（ｍｍ）ＴＦａｖｅ  板部平均厚み（ｍｍ）、即ち、板部の厚みの平均値（ｍｍ）ＷＲａｖｅ畝部平均幅（ｍｍ）、即ち、畝部の幅の平均値（ｍｍ）ＴＲａｖｅ  畝部平均厚み（ｍｍ）、即ち、畝部の厚みの平均値（ｍｍ）
【図６】本願発明に係る釣り竿の基本構造たる『畝／板構造』における畝部の断面形状の具体例を示した。［凡例］斜線を付加した部分；板部（１ａ）  斜線を付加していない部分；畝部（１ｂ）
【図７】本願発明に係る釣り竿の基本構造たる『畝／板構造』における板部の断面形状の具体例を示した。［凡例］斜線を付加していない部分；板部（１ａ）  斜線を付加している部分；畝部（１ｂ）
【図８】本願発明に係る釣り竿の基本構造たる『畝／板構造』における断面形状の具体例のうち、『芯／鞘構造』の態様を示した。（Ａ）芯（コア）部は、釣り竿である。釣り竿については、斜線を付加した部分が、２つの板部（１ａ−１、１ａ−２）と、斜線を付加していない部分が、畝部（１ｂ）である。（Ｂ）鞘（シェル）部は、可撓性又は屈曲性を有する管状部材（ゴム管、ホース管等）である。（Ｃ）芯／鞘（コア／シェル）構造を有する釣り竿を示した。斜線を付加した部分は、可撓性又は屈曲性を有する管状部材（ゴム管、ホース管等）のカバー又はケースである。
【図９】本願発明に係る釣り竿の基本構造たる『畝／板構造』の製作例を示した。（１）が板部であり、（２）が畝部である。板部と畝部を接合（接着・融着・溶接・締結・嵌合・一体成形等）する。
【図１０】本願発明に係る釣り竿の基本構造たる『畝／板構造』の曲げ特性を示した。（１）曲げ効果先調子・剛性大、（２）曲げ効果根本調子・剛性小、（３）曲げ効果中調子（剛性中）の態様を示した。剛性とは、単位変位を生じさせるための外力の大きさである。Ｆを外力、ｋを剛性、δを変位とすると、式「Ｆ＝ｋδ」が成り立つ。
【図１１】本願発明に係る釣り竿の基本構造たる『畝／板構造』における畝部及び／又は板部の厚さを調整することにより釣り竿の調子又は剛性を調整する方法を示した。例えば、畝／板構造における畝部、及び／又は、板部の厚さ、及び／又は、幅を、鉋（かんな）、鑢（やすり）、カッター等で切削することにより、釣り竿の調子又は剛性を調整することができる。
【図１２】本願発明に係る釣り竿の基本構造たる『畝／板構造』における板部の幅と畝部の幅が同じ場合における板部と畝部の境界の概念を示した。
【図１３】本願発明に係る釣り竿の基本構造たる『畝／板構造』における断面形状の具体例のうち、ツーピース嵌合構造の態様を示した。斜線を付加した部分が板部（１ａ）であり、斜線を付加していない部分が畝部（１ｂ）である。指物細工又は寄木細工のように、畝部と板部をスライド構造や嵌合構造により接合する。畝部を交換することにより、剛性を大・中・小と変更することができる。
【図１４】本願発明に係る釣り竿の基本構造たる『畝／板構造』の主要部を示した。穂先部（１ｃ）とは、畝部（１ｂ）が途切れた板部（１ａ）のみで構成される先端部、又は、板部（１ａ）が途切れた畝部（１ｂ）のみで構成される先端部を意味する。
【図１５】本願発明に係る釣り竿の構造を示した。釣り竿（１００）は、板部（１ａ）、及び、畝部（１ｂ）を含んで構成される。場合により、さらに、ジョイント部（２）、ガイド取付部（３）を、さらに、含んで構成される。
【図１６】釣り竿の『調子』の意義について示した。釣り竿の『調子』とは、釣り竿の穂先に重量を負荷した際に、手元側から、釣り竿が最も撓る点（ＫＰ、キック・ポイント（ｋｉｃｋ  ｐｏｉｎｔ）、ベンド・ポイント（ｂｅｎｄ  ｐｏｉｎｔ））に至る相対的な位置をいう。ＫＰが手元に近いければ『手元調子（元調子）』、穂先（ヘッド）に近ければ『先調子』、手元と穂先の中間にあれば『中調子（胴調子）』という。先調子（ＬＫ／ローキックポイント）の釣り竿は『当たり（アタリ、魚が釣り餌を啄む反応）』を捉えやすく、手元調子（ＨＫ／ハイキックポイント）の釣り竿は『釣り応え（釣り針に引っ掛かった魚を釣り上げるまでの反応）を捉えやすく、それぞれ、釣り人の趣向により選択される。中調子（胴調子、ＭＫ／ミドルキックポイント）は、最も多い汎用的なタイプである。伝統的な管状の釣り竿では、一旦購入してしまった釣り竿の『調子』については、購入者は、自身の趣向に沿ってチューン・アップすることは困難であった。然るに、本願発明に係る釣り竿は、畝／板構造を有しているために、畝部及び／又は板部について、厚さ及び／又は幅を切削することにより、『調子』を微妙に調整することが可能である。
【図１７】釣り竿の『調子』の評価方法の一つとして、湾曲指数（ＣＲ）を示した。湾曲指数の算出式（Ａ）において、ｒｍは穂先の湾曲に適合する円弧の曲率半径、ｒ０は支点〜錘負荷点間距離であって、２００ｍｍである。
【図１８】釣り竿の『調子』の評価方法の一つとして、撓み角θを示した。
【図１９】釣り竿の『調子』の評価方法のイメージを示した。
【図２０】釣り竿の『調子』の湾曲指数（ＣＲ）を評価するイメージを示した。先調子と中調子（胴調子）の例を示した。先調子においては、曲率半径ｒ１＝５２．２ｍｍ、湾曲指数ＣＲ１＝０．２６１であった。中調子（胴調子）においては、曲率半径ｒ２＝８１．１ｍｍ、湾曲指数ＣＲ２＝０．４０６であった。
【図２１】釣り竿の『調子』の撓み角θを評価するイメージを示した。荷重２０ｇ、荷重を負荷する距離箇所の距離２０ｍｍで評価した。先調子と中調子（胴調子）の例を示した。先調子ではｔａｎθ１＝０．５６３、中調子（胴調子）ではｔａｎθ２＝０．８６５であった。
【図２２】釣り竿の『調子』の湾曲指数（ＣＲ）を評価するイメージを示した。先調子と中調子（胴調子）の例を示した。先調子においては、曲率半径ｒ１＝５２．２ｍｍ、湾曲指数ＣＲ１＝０．２６１であった。根本（手元調子）においては、ｒ３＝８１．１ｍｍ、湾曲指数ＣＲ３＝０．７８１であった。
【図２３】釣り竿の『調子』の撓み角θを評価するイメージを示した。荷重２０ｇ、荷重を負荷する距離箇所の距離２０ｍｍで評価した。先調子と根本（手元調子）の例を示した。先調子ではｔａｎθ１＝０．５６３、根本（手元調子）ではｔａｎθ３＝１．３７４であった。
【図２４】本願発明に係る『畝／板構造』を有する釣り竿の形状を規定する諸元を示した。諸元は、以下のとおりである。Ｌ０  釣り竿の長さ  Ｌ１ａ  板部の長さ  Ｌ２  ジョイント部の長さ  Ｌ１ｂ  畝部の長さ  Ｌ１ｃ  穂先部の長さ  Ｗ１ａ  板部の幅  Ｗ１ｂ  畝部の幅  Ｗ２  ジョイント部の幅  １ａ  板部  Ｔ１ａ  板部の厚さ  Ｔ１ｂ  畝部の厚さ  Ｔ２  ジョイント部の厚さ
【図２５】『板部の長さ（Ｌ１ａ）≧畝部の長さ（Ｌ１ｂ）』の場合における本願発明に係る『畝／板構造』を有する釣り竿の断面積を評価する位置（ｐ％）を示した。個の場合、『Ｌ（畝／板構造部の長さ）＝Ｌ１ｂ（畝部の長さ）』となる。
【図２６】『畝部の長さ（Ｌ１ｂ）＞板部の長さ（Ｌ１ａ）』の場合における本願発明に係る『畝／板構造』を有する釣り竿の断面積を評価する位置（ｐ％）を示した。個の場合、『Ｌ（畝／板構造部の長さ）＝Ｌ１ａ（板部の長さ）』となる。
【図２７】本願発明に係る『畝／板構造』を有する釣り竿の断面積を評価する位置（ｐ％）の計算式（式（１））を示した。式（１）における記号は、次のとおりである。ｐ％  評価位置（断面積を評価する相対的な位置）  Ｌｍ  断面積を評価する位置までの距離（絶対値）  Ｌ  畝／板構造部の長さ（絶対値）  板部の長さ（Ｌ１ａ）≧畝部の長さ（Ｌ１ｂ）の場合；Ｌ＝Ｌ１ｂ  畝部の長さ（Ｌ１ｂ）＞板部の長さ（Ｌ１ａ）の場合；Ｌ＝Ｌ１ａ  Ｐｓ  評価始点（畝／板構造の始点；ｐ％＝０％）  Ｐｅ  評価終点（畝／板構造の終点；ｐ％＝１００％）板部の長さ（Ｌ１ａ）≧畝部の長さ（Ｌ１ｂ）の場合；畝部の終点  畝部の長さ（Ｌ１ｂ）＞板部の長さ（Ｌ１ａ）の場合；板部の終点
【図２８】本願発明に係る『畝／板構造』を有する釣り竿の評価位置ｐ％における板部と畝部の断面積の概念を示した。Ａｆ（ｐ％）は板部断面積、Ａｒ（ｐ％）は畝部断面積、Ａｔ（ｐ％）は全部断面積である。
【図２９】本願発明に係る『畝／板構造』を有する釣り竿の評価位置ｐ％における板部と畝部の断面積の概念を示した。
【図３０】本願発明に係る『畝／板構造』を有する釣り竿の畝部断面積比ＡＲの計算式（式（２））を示した。式（２）における記号は、次のとおりである。Ａｒ（ｐ％）  評価位置ｐ％における畝部の断面積（ｍｍ２）Ａｆ（ｐ％）  評価位置ｐ％における板部の断面積（ｍｍ２）Ａｔ（ｐ％）  評価位置ｐ％における合計断面積（ｍｍ２）ＡＲ（ｐ％）  畝部断面積比、即ち、評価位置ｐ％における合計断面積に占める畝部の断面積の相対比（％）
【図３１】『板部の長さ（Ｌ１ａ）≧畝部の長さ（Ｌ１ｂ）』の場合における本願発明に係る『畝／板構造』を有する釣り竿の畝部面積比ＡＲの概念を示した。ｘ軸は板部の長さ（Ｌ１ａ）［ｍｍ］、ｙ軸は断面積［ｍｍ２］である。
【図３２】『畝部の長さ（Ｌ１ｂ）＞板部の長さ（Ｌ１ａ）』の場合における本願発明に係る『畝／板構造』を有する釣り竿の畝部面積比ＡＲの概念を示した。ｘ軸は板部の長さ（Ｌ１ａ）［ｍｍ］、ｙ軸は断面積［ｍｍ２］である。
【図３３】本願発明に係る『畝／板構造』を有する釣り竿の畝部体積比ＶＲ（式（３）〜式（５））の計算式を示した。式（３）〜式（５）における記号は、次のとおりである。Ｖｒ  畝部の体積（ｍｍ３）Ｖｆ  板部の体積（ｍｍ３）Ｖｔ  合計体積（ｍｍ３）ＶＲ  畝部体積比、即ち、合計体積に占める畝部の体積の相対比（％）
【図３４】本願発明に係る『畝／板構造』を有する釣り竿の畝部体積比ＶＲの概念を示した。ｘ軸は畝／板構造部の長さ（Ｌ）、ｙ軸は断面積［ｍｍ２］である。
【図３５】実施例１で作成した芳香族ポリカーボネート製の釣り竿の６面図を示した。
【図３６】実施例１で作成した芳香族ポリカーボネート製の釣り竿の断面積の分布図を示した。
【図３７】実施例１及び実施例２の芳香族ポリカーボネート製の釣り竿を成形する際に使用した射出成形機の基本構造を示した。図３７の記号は次のとおりである。１加熱シリンダー２射出スクリュー３保持シリンダー４供給口５ベント口６ホッパー１１  加圧ポート
【図３８】実施例１及び実施例２の芳香族ポリカーボネート製の釣り竿を成形する際に使用した射出成形機と金型の基本構造を示した。図３８の記号は次のとおりである。１加熱シリンダー２射出スクリュー３保持シリンダー４供給口５ベント口６ホッパー１１  加圧ポート１２  ゲート
【図３９】実施例１の芳香族ポリカーボネート製の釣り竿を成形する際に使用した金型の基本構造を示した。１３  型キャビティ部１４排出口１５  貯槽
【図４０】実施例１の射出成形における溶融樹脂の流れを示した。（Ａ）成形サイクル初期（Ｂ）成形サイクル中期（Ｃ）成形サイクル終期
【図４１】実施例１の射出成形物と金型のゲート位置を示した。
【図４２】実施例２で使用した金型の基本構造を示した。
【図４３】実施例２の射出成形における溶融樹脂の流れを示した。（Ａ）成形サイクル初期（Ｂ）成形サイクル中期（Ｃ）成形サイクル終期
【図４４】実施例３で作成した芳香族ポリカーボネート製の釣り竿の断面積の分布図を示した。
【図４５】実施例１及び実施例３で作成した芳香族ポリカーボネート製の釣り竿の断面積の分布図を示した。
【図４６】実施例１で作成した釣り竿と、釣り竿にに取り付けることができるガイドとガイド固定具を示した。
【図４７】実施例１で作成した釣り竿に、ガイド固定具でガイドを取り付けた状態を示した。
【図４８】ガイドを取り付けた釣り竿を、電動リールに装着した状態を示した。
【図４９】特許文献２に係る発明の「発明特定事項」と「発明の奏する作用効果」を、一覧表として整理した。
【図５０】本願発明と特許文献２に係る発明の「発明特定事項」と「作用効果」の比較対照を一覧表として整理した。特許文献２における「補強部」は、対応する本願発明における「板部」と比較すると、釣り竿の基本構造を幅方向に貫通して横断しておらず、側面に「取着」されている点で、本願発明と特許文献２は、大きく相違する。「発明の奏する作用効果」については、本願発明については、釣り竿の「調子」の調整を容易にすることができる点で極めてユニークである。
【図５１】本願発明と特許文献２に係る発明の「発明特定事項」と「作用効果」の比較対照を一覧表として整理した。特許文献２における「円柱部」は縦長であるのとは対照的に、対応する本願発明における「板部」は横長である点で、本願発明と特許文献２は、大きく相違する。「発明の奏する作用効果」については、本願発明については、釣り竿の「調子」の調整を容易にすることができる点で極めてユニークである。
【符号の説明】
【００７１】［釣り竿の構造］
１００    釣り竿
１ａ      板部
１ｂ      畝部
２        ジョイント部
３        ガイド取付部
ＰＳ  ；  畝／板構造の始点
ｐ％  ；  評価位置
Ｌ    ；  畝／板構造の長さ
Ｌ１ａ；  板部の長さ
Ｌ１ｂ；  畝部の長さ
Ｌｍ  ；  断面積を評価する位置までの距離
［厚みの測定］
Ｔ１ａ  ；  板部の厚み（最大厚み）
Ｔ１ｂ  ；  畝部の厚み（最大厚み）
ｗｆｓ  ；  板部厚み測定開始位置（板部幅方向始点）
ｗｆｍ  ；  板部厚み測定位置
ｗｆｅ  ；  板部厚み測定終了位置（板部幅方向終点）
ＴＦｍ  ；  測定位置における板部の厚み
ｗｒｓ  ；  畝部厚み測定開始位置（板部幅方向始点）
ｗｒｍ  ；  畝部厚み測定位置
ｗｒｅ  ；  畝部厚み測定終了位置（板部幅方向終点）
ＴＲｍ  ；  測定位置における畝部の厚み
［幅の測定］
Ｗ１ａ  ；  板部の幅（最大幅）
Ｗ１ｂ  ；  畝部の幅（最大幅）
ｔｆｓ  ；  板部幅測定開始位置（板部幅方向始点）
ｔｆｍ  ；  板部幅測定位置
ｔｆｅ  ；  板部幅測定終了位置（板部幅方向終点）
ＷＦｍ  ；  測定位置における板部の幅
ｔｒｓ  ；  畝部幅測定開始位置（板部幅方向始点）
ｔｒｍ  ；  畝部幅測定位置
ｔｒｅ  ；  畝部幅測定終了位置（板部幅方向終点）
ＷＲｍ  ；  測定位置における畝
［平均厚み］
ΣＴＦｍ    板部の厚みの積分値（ｍｍ２）
ＴＦａｖｅ  板部平均厚み（ｍｍ）、即ち、板部の厚みの平均値（ｍｍ）
ＴＲａｖｅ  畝部平均厚み（ｍｍ）、即ち、畝部の厚みの平均値（ｍｍ）
Ｗ１ａ  ；  板部の幅（最大幅）
Ｗ１ｂ  ；  畝部の幅（最大幅）
ｗｆｓ  ；  板部厚み測定開始位置（板部幅方向始点）
ｗｆｅ  ；  板部厚み測定終了位置（板部幅方向終点）
［平均幅］
ΣＷＦｍ    畝部の幅の積分値（ｍｍ２）
ＷＦａｖｅ  板部平均幅（ｍｍ）、即ち、板部の幅の平均値（ｍｍ）
ＷＲａｖｅ  畝部平均幅（ｍｍ）、即ち、畝部の幅の平均値（ｍｍ）
Ｔ１ａ  ；  板部の厚み（最大厚み）
Ｔ１ｂ  ；  畝部の厚み（最大厚み）
ｔｆｓ  ；  板部幅測定開始位置（板部厚み方向始点）
ｔｆｅ  ；  板部幅測定終了位置（板部厚み方向終点）
［湾曲指数］
ＣＲ  ；  湾曲指数
ｒｍ  ；  穂先の湾曲に適合する円弧の曲率半径
ｒ０  ；  支点〜錘負荷点間距離（例；２００ｍｍ）
［釣り竿の形状を規定する諸元］
Ｌ０  釣り竿の長さ
Ｌ１ａ  板部の長さ
Ｌ２  ジョイント部の長さ
Ｌ１ｂ  畝部の長さ
Ｌ１ｃ  穂先部の長さ
Ｗ１ａ  板部の幅
Ｗ１ｂ  畝部の幅
Ｗ２  ジョイント部の幅
１ａ  板部
Ｔ１ａ  板部の厚さ
Ｔ１ｂ  畝部の厚さ
Ｔ２  ジョイント部の厚さ
［断面積の評価］
ｐ％    評価位置（断面積を評価する相対的な位置）
Ｌｍ    断面積を評価する位置までの距離（絶対値）
Ｌ      畝／板構造部の長さ（絶対値）
板部の長さ（Ｌ１ａ）≧畝部の長さ（Ｌ１ｂ）の場合；Ｌ＝Ｌ１ｂ
畝部の長さ（Ｌ１ｂ）＞板部の長さ（Ｌ１ａ）の場合；Ｌ＝Ｌ１ａ
Ｐｓ    評価始点（畝／板構造の始点  ；  ｐ％＝０％）
Ｐｅ    評価終点（畝／板構造の終点  ；  ｐ％＝１００％）
板部の長さ（Ｌ１ａ）≧畝部の長さ（Ｌ１ｂ）の場合；畝部の終点
畝部の長さ（Ｌ１ｂ）＞板部の長さ（Ｌ１ａ）の場合；板部の終点
［畝部断面積比の評価］
Ａｒ（ｐ％）  評価位置ｐ％における畝部の断面積（ｍｍ２）
Ａｆ（ｐ％）  評価位置ｐ％における板部の断面積（ｍｍ２）
Ａｔ（ｐ％）  評価位置ｐ％における合計断面積（ｍｍ２）
ＡＲ（ｐ％）  畝部断面積比、即ち、評価位置ｐ％における
合計断面積に占める畝部の断面積の相対比（％）
［畝部断体積比の評価］
Ｖｒ    畝部の体積（ｍｍ３）
Ｖｆ    板部の体積（ｍｍ３）
Ｖｔ    合計体積（ｍｍ３）
ＶＲ    畝部体積比、即ち、合計体積に占める畝部の
体積の相対比（％）
［射出成形機と金型］
１  加熱シリンダー
２  射出スクリュー
３  保持シリンダー
４  供給口
５  ベント口
６  ホッパー
１１  加圧ポート
１２  ゲート
１３  型キャビティ部
１４  排出口
１５  貯槽
（Ａ）成形サイクル初期
（Ｂ）成形サイクル中期
（Ｃ）成形サイクル終期
【図１】
2011097942.tif 000021
【図２】
2011097942.tif 000022
【図３】
2011097942.tif 000023
【図４】
2011097942.tif 000024
【図５】
2011097942.tif 000025
【図６】
2011097942.tif 000026
【図７】
2011097942.tif 000027
【図８】
2011097942.tif 000028
【図９】
2011097942.tif 000029
【図１０】
2011097942.tif 000030
【図１１】
2011097942.tif 000031
【図１２】
2011097942.tif 000032
【図１３】
2011097942.tif 000033
【図１４】
2011097942.tif 000034
【図１５】
2011097942.tif 000035
【図１６】
2011097942.tif 000036
【図１７】
2011097942.tif 000037
【図１８】
2011097942.tif 000038
【図１９】
2011097942.tif 000039
【図２０】
2011097942.tif 000040
【図２１】
2011097942.tif 000041
【図２２】
2011097942.tif 000042
【図２３】
2011097942.tif 000043
【図２４】
2011097942.tif 000044
【図２５】
2011097942.tif 000045
【図２６】
2011097942.tif 000046
【図２７】
2011097942.tif 000047
【図２８】
2011097942.tif 000048
【図２９】
2011097942.tif 000049
【図３０】
2011097942.tif 000050
【図３１】
2011097942.tif 000051
【図３２】
2011097942.tif 000052
【図３３】
2011097942.tif 000053
【図３４】
2011097942.tif 000054
【図３５】
2011097942.tif 000055
【図３６】
2011097942.tif 000056
【図３７】
2011097942.tif 000057
【図３８】
2011097942.tif 000058
【図３９】
2011097942.tif 000059
【図４０】
2011097942.tif 000060
【図４１】
2011097942.tif 000061
【図４２】
2011097942.tif 000062
【図４３】
2011097942.tif 000063
【図４４】
2011097942.tif 000064
【図４５】
2011097942.tif 000065
【図４６】
2011097942.tif 000066
【図４７】
2011097942.tif 000067
【図４８】
2011097942.tif 000068
【図４９】
2011097942.tif 000069
【図５０】
2011097942.tif 000070
【図５１】
2011097942.tif 000071